(57)【要約】【課題】ユーザインタフェースの向上を図る。【解決手段】表示部の表示画面上に表示された画面スクロール操作部を選択する指定（Ｓ１）に応じて、表示部の表示画面上にスクロールされる表示区分を選択するための表示区分選択部を表示部の表示画面上に表示させる制御ステップ（Ｓ２）を有する。【選択図】図３
2016133912.tif 000002
【特許請求の範囲】
【請求項１】
画面のスクロールを操作するための画面スクロール操作部を表示画面上に表示する表示部と、
前記表示部の表示画面上に表示された画面スクロール操作部を選択する指定に応じて、前記表示部の表示画面上にスクロールされる表示区分を選択するための表示区分選択部を前記表示部の表示画面上に表示させる制御部と、
を備えた情報処理装置。
【請求項２】
前記表示部の表示画面にスクロールされる画面に対応する表示区分を有する、
請求項１に記載の情報処理装置。
【請求項３】
オブジェクトグループに対応する表示区分を有する、
請求項１又は２のいずれか１項に記載の情報処理装置。
【請求項４】
前記制御部は、オブジェクトの指定に引き続く前記表示部の表示画面上に表示された表示区分の指定に応じて、指定されたオブジェクトの所属を、指定された表示区分に対応するオブジェクトグループに決定する、
請求項３に記載の情報処理装置。
【請求項５】
オブジェクトグループのサブグループに対応する表示区分をさらに有し、
前記制御部は、指定されたオブジェクトの所属を、指定された表示区分に対応するオブジェクトグループのサブグループに決定する、
請求項４に記載の情報処理装置。
【請求項６】
前記制御部は、新たに設ける表示区分の指定に引き続く前記表示部の表示画面上に表示された表示区分の指定に応じて、指定された新たに設ける表示区分の配置を、指定された表示区分の配置に基づいて決定する、
請求項２又は３のいずれか１項に記載の情報処理装置。
【請求項７】
前記制御部は、前記画面スクロール操作部を選択する指定の解除に応じて、前記表示部の表示画面上に表示された表示区分選択部を削除する、
請求項１から６のいずれか１項に記載の情報処理装置。
【請求項８】
前記表示区分選択部は、表示区分に各々対応するＧＵＩ（Graphical User Interface）画像である、
請求項１から７のいずれか１項に記載の情報処理装置。
【請求項９】
前記表示区分選択部は、前記画面スクロール操作部の表示領域内に配置される、
請求項１から８のいずれか１項に記載の情報処理装置。
【請求項１０】
表示画面上にスクロールされる画面に対応する第１の印を表示画面上に表示する表示部と、
オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御部と、
を備えた情報処理装置。
【請求項１１】
表示部が、画面のスクロールを操作するための画面スクロール操作部を表示画面上に表示する表示ステップと、
制御部が、前記表示部の表示画面上に表示された画面スクロール操作部を選択する指定に応じて、前記表示部の表示画面上にスクロールされる表示区分を選択するための表示区分選択部を前記表示部の表示画面上に表示させる制御ステップと、
を含む情報処理方法。
【請求項１２】
表示部が、表示画面上にスクロールされる画面に対応する第１の印を表示画面上に表示する表示ステップと、
制御部が、オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御ステップと、
を含む情報処理方法。
【請求項１３】
コンピュータに、
画面のスクロールを操作するための画面スクロール操作部を表示部の表示画面上に表示する表示ステップと、
前記表示部の表示画面上に表示された画面スクロール操作部を選択する指定に応じて、前記表示部の表示画面上にスクロールされる表示区分を選択するための表示区分選択部を前記表示部の表示画面上に表示させる制御ステップと、
を実行させるためのコンピュータプログラム。
【請求項１４】
コンピュータに、
表示部の表示画面上にスクロールされる画面に対応する第１の印を前記表示部の表示画面上に表示する表示ステップと、
オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御ステップと、
を実行させるためのコンピュータプログラム。
【発明の詳細な説明】
【技術分野】
【０００１】
本発明は、情報処理装置、情報処理方法、及びコンピュータプログラムに関する。
【背景技術】
【０００２】
スマートフォン等、タッチパネルを備えた一般的な携帯通信端末装置において、ユーザはタッチパネルの表示画面をフリックすることによって表示画面上に表示される画面のスクロールを行う（例えば、特許文献１参照）。例えば、表示画面上に先頭の表示領域が表示されている場合において、最後の表示領域を表示画面上に表示させたいときは、ユーザは、最後の表示領域が表示画面上にスクロールされるまで、表示画面のフリックを繰り返す。
【先行技術文献】
【特許文献】
【０００３】
【特許文献１】特表２００９−５２１７５４号公報
【発明の概要】
【発明が解決しようとする課題】
【０００４】
しかし、上述した従来のユーザインタフェースでは、表示画面上に未表示の表示領域が増えると、ユーザが表示画面をフリックする操作回数も総じて増える。このため、ユーザインタフェースの向上が望まれる。
【０００５】
本発明は、このような事情を考慮してなされたものであり、ユーザインタフェースの向上を図ることができる情報処理装置、情報処理方法、及びコンピュータプログラムを提供することを課題とする。
【課題を解決するための手段】
【０００６】
（１）本発明の一態様は、画面のスクロールを操作するための画面スクロール操作部を表示画面上に表示する表示部と、前記表示部の表示画面上に表示された画面スクロール操作部を選択する指定に応じて、前記表示部の表示画面上にスクロールされる表示区分を選択するための表示区分選択部を前記表示部の表示画面上に表示させる制御部と、を備えた情報処理装置である。
（２）本発明の一態様は、上記（１）の情報処理装置において、前記表示部の表示画面にスクロールされる画面に対応する表示区分を有する、情報処理装置である。
（３）本発明の一態様は、上記（１）又は（２）のいずれかの情報処理装置において、オブジェクトグループに対応する表示区分を有する、情報処理装置である。
（４）本発明の一態様は、上記（３）の情報処理装置において、前記制御部は、オブジェクトの指定に引き続く前記表示部の表示画面上に表示された表示区分の指定に応じて、指定されたオブジェクトの所属を、指定された表示区分に対応するオブジェクトグループに決定する、情報処理装置である。
（５）本発明の一態様は、上記（４）の情報処理装置において、オブジェクトグループのサブグループに対応する表示区分をさらに有し、前記制御部は、指定されたオブジェクトの所属を、指定された表示区分に対応するオブジェクトグループのサブグループに決定する、情報処理装置である。
（６）本発明の一態様は、上記（２）又は（３）のいずれかの情報処理装置において、前記制御部は、新たに設ける表示区分の指定に引き続く前記表示部の表示画面上に表示された表示区分の指定に応じて、指定された新たに設ける表示区分の配置を、指定された表示区分の配置に基づいて決定する、情報処理装置である。
（７）本発明の一態様は、上記（１）から（６）のいずれかの情報処理装置において、前記制御部は、前記画面スクロール操作部を選択する指定の解除に応じて、前記表示部の表示画面上に表示された表示区分選択部を削除する、情報処理装置である。
（８）本発明の一態様は、上記（１）から（７）のいずれかの情報処理装置において、前記表示区分選択部は、表示区分に各々対応するＧＵＩ（Graphical User Interface）画像である、情報処理装置である。
（９）本発明の一態様は、上記（１）から（８）のいずれかの情報処理装置において、前記表示区分選択部は、前記画面スクロール操作部の表示領域内に配置される、情報処理装置である。
（１０）本発明の一態様は、表示画面上にスクロールされる画面に対応する第１の印を表示画面上に表示する表示部と、オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御部と、を備えた情報処理装置である。
【０００７】
（１１）本発明の一態様は、表示部が、画面のスクロールを操作するための画面スクロール操作部を表示画面上に表示する表示ステップと、制御部が、前記表示部の表示画面上に表示された画面スクロール操作部を選択する指定に応じて、前記表示部の表示画面上にスクロールされる表示区分を選択するための表示区分選択部を前記表示部の表示画面上に表示させる制御ステップと、を含む情報処理方法である。
（１２）本発明の一態様は、表示部が、表示画面上にスクロールされる画面に対応する第１の印を表示画面上に表示する表示ステップと、制御部が、オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御ステップと、を含む情報処理方法である。
【０００８】
（１３）本発明の一態様は、コンピュータに、画面のスクロールを操作するための画面スクロール操作部を表示部の表示画面上に表示する表示ステップと、前記表示部の表示画面上に表示された画面スクロール操作部を選択する指定に応じて、前記表示部の表示画面上にスクロールされる表示区分を選択するための表示区分選択部を前記表示部の表示画面上に表示させる制御ステップと、を実行させるためのコンピュータプログラムである。
（１４）本発明の一態様は、コンピュータに、表示部の表示画面上にスクロールされる画面に対応する第１の印を前記表示部の表示画面上に表示する表示ステップと、オブジェクトの指定に引き続く、前記表示部の表示画面上に表示された第１の印の指定に応じて、当該指定された第１の印に対応する画面を前記表示部の表示画面上にスクロールし、指定されたオブジェクトに対応する第２の印を当該指定された第１の印に対応する画面上に表示させる制御ステップと、を実行させるためのコンピュータプログラムである。
【発明の効果】
【０００９】
本発明によれば、ユーザインタフェースの向上を図ることができる情報処理装置、情報処理方法、及びコンピュータプログラムを提供することができるという効果が得られる。
【図面の簡単な説明】
【００１０】
【図１】本発明の第１実施形態に係る情報処理装置１を示す構成図である。
【図２】記憶部１２の構成例を示す図である。
【図３】本発明の第１実施形態に係る制御処理のフローチャートである。
【図４】表示部１５のタッチパネルの表示画面１００の構成例を示す図である。
【図５】本発明の第１実施形態に係る表示区分リスト２５の構成例１を示す図である。
【図６】本発明の第１実施形態に係る表示画面１００の構成例を示す図である。
【図７】本発明の第１実施形態に係る表示画面１００の構成例を示す図である。
【図８】本発明の第１実施形態に係る表示画面１００の構成例を示す図である。
【図９】本発明の第１実施形態に係る表示画面１００の構成例を示す図である。
【図１０】本発明の第１実施形態に係る表示区分リスト２５の構成例２を示す図である。
【図１１】本発明の第１実施形態に係る表示画面１００の構成例を示す図である。
【図１２】本発明の第１実施形態に係る表示画面１００の構成例を示す図である。
【図１３】本発明の第１実施形態に係る表示画面１００の構成例を示す図である。
【図１４】本発明の第１実施形態に係る表示画面１００の構成例を示す図である。
【図１５】本発明の第１実施形態に係る表示画面１００の構成例を示す図である。
【図１６】本発明の第１実施形態に係る表示画面１００の構成例を示す図である。
【図１７】本発明の第１実施形態に係る表示画面１００の構成例を示す図である。
【図１８】本発明の第１実施形態に係る表示画面１００の構成例を示す図である。
【図１９】本発明の第１実施形態に係る表示画面１００の構成例を示す図である。
【図２０】本発明の第１実施形態に係る表示区分リスト２５の構成例２を示す図である。
【図２１】本発明の第２実施形態に係る表示画面１００の構成例を示す図である。
【図２２】本発明の第２実施形態に係る表示画面１００の構成例を示す図である。
【発明を実施するための形態】
【００１１】
以下、図面を参照し、本発明の実施形態について説明する。
【００１２】
［第１実施形態］
図１は、本発明の第１実施形態に係る情報処理装置１を示す構成図である。図１において、情報処理装置１は、制御部１１と記憶部１２と通信部１３と操作部１４と表示部１５とを備える。これら各部はデータを交換できるように構成される。制御部１１は、メモリ及びＣＰＵ（中央処理装置）を備え、制御部１１の機能を実現するためのコンピュータプログラムをＣＰＵが実行することによりその機能を実現させる。
【００１３】
記憶部１２は、制御部１１のＣＰＵで実行されるコンピュータプログラム及び各種のデータを記憶する。記憶部１２としては、例えば、ハードディスク装置、ＤＶＤ（Digital Versatile Disk）等の光ディスク装置、フラッシュメモリ等の不揮発性のメモリ、ＤＲＡＭ（Dynamic Random Access Memory）等の揮発性のメモリ、ＳＤカード等の着脱可能なメモリカードなどが利用可能である。
【００１４】
通信部１３は、情報処理装置１の外部の装置との間で通信を行う。この通信方法として、通信ネットワークを介して通信を行う方法、通信ケーブルを介して通信を行う方法、近距離無線通信により無線通信を行う方法などが挙げられる。操作部１４は、入力デバイスから構成され、ユーザの操作に応じたデータ入力を行う。入力デバイスとして、例えば、キーボード、テンキー、マウス、操作ボタンなどが挙げられる。表示部１５は、液晶表示装置等の表示デバイスから構成され、データ表示を行う。なお、表示部１５として、データ入力とデータ表示の両方が可能なタッチパネルを備えてもよい。
【００１５】
情報処理装置１としては、例えば、スマートフォン等の携帯通信端末装置、タブレット型のコンピュータ（タブレットＰＣ）等の携帯型のパーソナルコンピュータ、据置き型のパーソナルコンピュータなどであってもよい。
【００１６】
図２は、記憶部１２の構成例を示す図である。図２において、記憶部１２は、ＯＳ（Operating System：オペレーティングシステム）＿２１と制御プログラム２２とアプリケーションプログラム２３とデータファイル２４と表示区分リスト２５とを記憶する。ＯＳ＿２１と制御プログラム２２とアプリケーションプログラム２３とは、制御部１１のＣＰＵで実行されるコンピュータプログラムである。アプリケーションプログラム２３は複数あってもよい。アプリケーションプログラム２３として、例えば、ＳＮＳ（Social Networking Service）アプリケーション、電子メールアプリケーション、Ｗｅｂ（ウェブ）ブラウザアプリケーション、画像管理アプリケーション、ゲームアプリケーションなどのコンピュータプログラムが挙げられる。データファイル２４は複数あってもよい。データファイル２４としては、例えば、テキストデータファイル、音声データファイル、画像（静止画像又は動画像）データファイル、個人データファイル、ＵＲＬ（Uniform Resource Locator）データファイルなどが挙げられる。
【００１７】
以下、情報処理装置１の表示部１５がタッチパネルを備える場合を例に挙げて説明する。図４は、表示部１５のタッチパネルの表示画面１００の構成例を示す図である。図４において、表示画面１００上には、ウィンドウ画面１１０と、画面スクロール操作部１２０とが表示される。画面スクロール操作部１２０は、ユーザがウィンドウ画面１１０のスクロールを操作するための表示部分である。図４には、ウィンドウ画面１１０のスクロール方向が示される。画面スクロール操作部１２０は、ＧＵＩ（Graphical User Interface）画像であってもよい。例えば、画面スクロール操作部１２０は、スクロールバーと呼ばれる棒状のＧＵＩ画像であってもよい。画面スクロール操作部１２０は、画像１２１を有する。画像１２１は、ウィンドウ画面１１０上に現在表示されている表示領域と現在表示されていない未表示領域とを合わせた総表示領域中の、ウィンドウ画面１１０上に現在表示されている表示領域の位置、を示す。未表示領域は、ウィンドウ画面１１０上に現在表示されていないが、ウィンドウ画面１１０のスクロールによってウィンドウ画面１１０上に表示させることができる領域である。
【００１８】
次に、図３等を参照して、第１実施形態に係る情報処理装置１の動作を説明する。図３は、第１実施形態に係る制御処理のフローチャートである。以下、ウィンドウ画面１１０上に表示される表示区分の例１、例２を挙げて、それぞれに説明を行う。
【００１９】
＜表示区分の例１＞
まず、表示区分の例１に係る情報処理装置１の動作を説明する。図５は、第１実施形態に係る表示区分リスト２５の構成例１を示す図である。表示区分リスト２５は、ウィンドウ画面１１０上にスクロールされる表示区分のリストである。図５の例では、５個の表示区分がある。第１の表示区分は待受画面としての第１画面、第２の表示区分は第２画面、第３の表示区分は第３画面、第４の表示区分は第４画面、第５の表示区分は第５画面、である。上記した図４の例では、ウィンドウ画面１１０上には、現在、第１の表示区分である第１画面１３０−１が表示されている。第１画面１３０−１は、オブジェクトに対応するアイコンＧを有する。オブジェクトとしては、アプリケーションプログラム２３とデータファイル２４とがある。第１画面１３０−１は先頭の画面であるので、図４の例において画像１２１は、画面スクロール操作部１２０内の先頭部分に表示されている。
【００２０】
以下、図３等を参照して、表示区分の例１に係る情報処理装置１の動作を説明する。
【００２１】
（ステップＳ１）図６に示されるように、ユーザＵが画面スクロール操作部１２０にタッチすることにより、画面スクロール操作部１２０を選択する。これにより、制御部１１は画面スクロール操作部１２０を選択する指定を入力する。
【００２２】
（ステップＳ２）制御部１１は、画面スクロール操作部１２０を選択する指定に応じて、図５の表示区分リスト２５の内容に従い、図７に示されるように、表示区分選択部２１０−１〜５を表示画面１００上に表示させる。図７の例では、表示区分選択部２１０−１〜５は、画面スクロール操作部１２０の表示領域内に配置される。また、画像１２１は表示画面１００上から削除される。
【００２３】
表示区分選択部２１０−１は図５の表示区分リスト２５における第１の表示区分の第１画面に対応し、表示区分選択部２１０−２は図５の表示区分リスト２５における第２の表示区分の第２画面に対応し、表示区分選択部２１０−３は図５の表示区分リスト２５における第３の表示区分の第３画面に対応し、表示区分選択部２１０−４は図５の表示区分リスト２５における第４の表示区分の第４画面に対応し、表示区分選択部２１０−５は図５の表示区分リスト２５における第５の表示区分の第５画面に対応する。表示区分選択部２１０−１〜５は、表示区分に各々対応するＧＵＩ画像である。なお、表示区分選択部２１０−１〜５は、画面スクロール操作部１２０以外の表示画面１００上に表示されてもよい。
【００２４】
（ステップＳ３）図８に示されるように、ユーザＵが表示区分選択部２１０−３にタッチすると、制御部１１は、表示区分選択部２１０−３へのタッチに応じて、表示区分選択部２１０−３に対応する第３画面１３０−３をウィンドウ画面１１０上にスクロールし表示させる。なお、ユーザＵが上記ステップＳ１で画面スクロール操作部１２０の何処かにタッチした後にタッチしている場所を表示区分選択部２１０−３に移動させることを、表示区分選択部２１０−３に対応する第３画面１３０−３をウィンドウ画面１１０上にスクロールし表示させる条件にしてもよい。
【００２５】
（ステップＳ４）制御部１１は、画面スクロール操作部１２０の選択解除であるかを判断する。画面スクロール操作部１２０の選択解除方法として、例えば、ユーザＵが画面スクロール操作部１２０をダブルタッチすることが挙げられる。又は、ユーザＵが上記ステップＳ１で画面スクロール操作部１２０の何処かにタッチした後にタッチしている場所を表示区分選択部２１０−３に移動させることを、表示区分選択部２１０−３に対応する第３画面１３０−３をウィンドウ画面１１０上にスクロールし表示させる条件とする場合には、ユーザＵが画面スクロール操作部１２０からタッチを止めることを、画面スクロール操作部１２０の選択解除方法とすることが挙げられる。
【００２６】
ステップＳ４の判断の結果、画面スクロール操作部１２０の選択解除である場合にはステップＳ５へ進み、そうではない場合にはステップＳ４で画面スクロール操作部１２０の選択解除の判断を続ける。
【００２７】
（ステップＳ５）制御部１１は、図９に示されるように、表示区分選択部２１０−１〜５を表示画面１００上から削除する。制御部１１は、画面スクロール操作部１２０において、ウィンドウ画面１１０上に現在表示されている表示領域と現在表示されていない未表示領域とを合わせた総表示領域中の、ウィンドウ画面１１０上に現在表示される第３画面１３０−３の位置、に対応する部分に画像１２１を配置する。
【００２８】
上述した表示区分の例１によれば、ユーザは、ウィンドウ画面１１０上に表示させたい画面に対応する表示区分選択部にタッチすれば、表示画面１００のフリックを行うことなく、所望の画面をウィンドウ画面１１０上にスクロールし表示させることができる。これにより、ウィンドウ画面１１０をスクロールする操作を簡略化することができる。
【００２９】
＜表示区分の例２＞
次に、表示区分の例２に係る情報処理装置１の動作を説明する。図１０は、第１実施形態に係る表示区分リスト２５の構成例２を示す図である。表示区分リスト２５は、ウィンドウ画面１１０上にスクロールされる表示区分のリストである。図１０の例では、７個の表示区分がある。一の表示区分に対して、さらにサブ表示区分を設けることができる。また、一のサブ表示区分に対してさらにサブ表示区分を設けるようにしてもよい。
【００３０】
図１０において、第１の表示区分は待受画面としての第１画面である。上記した図４の例では、ウィンドウ画面１１０上には、現在、第１の表示区分である第１画面１３０−１が表示されている。第１画面１３０−１は、オブジェクトに対応するアイコンＧを有する。オブジェクトとしては、アプリケーションプログラム２３とデータファイル２４とがある。第１画面１３０−１は先頭の画面であるので、図４の例において画像１２１は、画面スクロール操作部１２０内の先頭部分に表示されている。
【００３１】
図１０において、第２から第７の表示区分は、オブジェクトグループに対応する表示区分である。オブジェクトグループは、オブジェクトを管理するためのグループである。オブジェクトとしては、アプリケーションプログラム２３とデータファイル２４とがある。図１０の例では、６個のオブジェクトグループがある。図１０中、オブジェクトグループに関するカッコ内はグループ名である。グループ名は、デフォルトとして予め準備してもよく、又は、ユーザが任意のグループ名を設定してもよい。ユーザは、任意のオブジェクトを、任意のオブジェクトグループに所属させる設定を行うことができる。なお、制御部１１は、オブジェクトに予め付加されている属性情報やオブジェクトの内容に基づいてオブジェクトを所属させるオブジェクトグループを選択し、オブジェクトのグループ分けを行うようにしてもよい。また、表示区分とオブジェクトグループとの対応付けは、任意に設定できるようにしてもよい。
【００３２】
第１オブジェクトグループはグループ名「ＳＮＳ」である。第１オブジェクトグループ「ＳＮＳ」に所属させるオブジェクトとしては、例えば、ＳＮＳアプリケーション、ＳＮＳに参加する友人の個人データファイルなどが挙げられる。第１オブジェクトグループ「ＳＮＳ」は第２の表示区分に対応する。
【００３３】
第２オブジェクトグループはグループ名「アルバム」である。第２オブジェクトグループ「アルバム」に所属させるオブジェクトとしては、例えば、写真（静止画像データファイル）、映像（動画像データファイル）、画像管理アプリケーションなどが挙げられる。第２オブジェクトグループ「アルバム」は第３の表示区分に対応する。第２オブジェクトグループ「アルバム」は、２個のサブグループを有する。一つのサブグループはグループ名「家族」である。もう一つのサブグループはグループ名「友人」である。サブグループ「家族」に所属させるオブジェクトとしては、例えば、ユーザの家族の写真（静止画像データファイル）や映像（動画像データファイル）などが挙げられる。サブグループ「友人」に所属させるオブジェクトとしては、例えば、ユーザの友人の写真（静止画像データファイル）や映像（動画像データファイル）などが挙げられる。第２オブジェクトグループ「アルバム」のサブグループ「家族」、「友人」は第３の表示区分のサブ表示区分に対応する。
【００３４】
第３オブジェクトグループはグループ名「音楽」である。第３オブジェクトグループ「音楽」に所属させるオブジェクトとしては、例えば、楽曲（音声データファイル）、ミュージックビデオ（動画像データファイル）、音楽再生アプリケーション、楽曲配信サイトのＵＲＬ（ＵＲＬデータファイル）などが挙げられる。第３オブジェクトグループ「音楽」は第４の表示区分に対応する。
【００３５】
第４オブジェクトグループはグループ名「ゴミ箱」である。第４オブジェクトグループ「ゴミ箱」は、削除する対象のオブジェクトを所属させるグループである。ユーザは、削除したいオブジェクトを第４オブジェクトグループ「ゴミ箱」に所属させる設定を行うことによって、削除したいオブジェクトを削除する対象に設定することができる。第４オブジェクトグループ「ゴミ箱」は第５の表示区分に対応する。
【００３６】
第５オブジェクトグループはグループ名「ＳＤカード」である。第５オブジェクトグループ「ＳＤカード」は、情報処理装置１に装着されたＳＤカードに移動する対象のオブジェクトを所属させるグループである。ユーザは、ＳＤカードに移動したいオブジェクトを第５オブジェクトグループ「ＳＤカード」に所属させる設定を行うことによって、ＳＤカードに移動したいオブジェクトをＳＤカードに移動する対象に設定することができる。第５オブジェクトグループ「ＳＤカード」は第６の表示区分に対応する。
【００３７】
第６オブジェクトグループはグループ名「その他」である。第６オブジェクトグループ「その他」は、例えば、通信部１３が通信ネットワークを介してダウンロードしたアプリケーションプログラム２３を最初に所属させるグループとして使用することが挙げられる。第６オブジェクトグループ「その他」は第４の表示区分に対応する。
【００３８】
なお、記憶部１２に記憶されるオブジェクトの全てをいずれかのオブジェクトグループに所属させる必要はない。記憶部１２に記憶されるオブジェクトの全てをいずれかのオブジェクトグループに所属させてもよいし、いずれのオブジェクトグループにも所属しないオブジェクトが存在してもよい。
【００３９】
以下、図３等を参照して、表示区分の例２に係る情報処理装置１の動作を説明する。
【００４０】
（ステップＳ１）図６に示されるように、ユーザＵが画面スクロール操作部１２０にタッチすることにより、画面スクロール操作部１２０を選択する。これにより、制御部１１は画面スクロール操作部１２０を選択する指定を入力する。
【００４１】
（ステップＳ２）制御部１１は、画面スクロール操作部１２０を選択する指定に応じて、図１０の表示区分リスト２５の内容に従い、図１１に示されるように、表示区分選択部２２０−１〜７を表示画面１００上に表示させる。図１１の例では、表示区分選択部２２０−１〜７は、画面スクロール操作部１２０の表示領域内に配置される。また、画像１２１は表示画面１００上から削除される。
【００４２】
表示区分選択部２２０−１は図１０の表示区分リスト２５における第１の表示区分の第１画面に対応し、表示区分選択部２２０−２は図１０の表示区分リスト２５における第２の表示区分の第１オブジェクトグループ「ＳＮＳ」に対応し、表示区分選択部２２０−３は図１０の表示区分リスト２５における第３の表示区分の第２オブジェクトグループ「アルバム」に対応し、表示区分選択部２２０−４は図１０の表示区分リスト２５における第４の表示区分の第３オブジェクトグループ「音楽」に対応し、表示区分選択部２２０−５は図１０の表示区分リスト２５における第５の表示区分の第４オブジェクトグループ「ゴミ箱」に対応し、表示区分選択部２２０−６は図１０の表示区分リスト２５における第６の表示区分の第５オブジェクトグループ「ＳＤカード」に対応し、表示区分選択部２２０−７は図１０の表示区分リスト２５における第７の表示区分の第６オブジェクトグループ「その他」に対応する。表示区分選択部２２０−１〜７は、表示区分に各々対応するＧＵＩ画像である。
【００４３】
なお、表示区分選択部２２０−１〜７は、画面スクロール操作部１２０以外の表示画面１００上に表示されてもよい。また、表示区分選択部２２０−１〜７の各ＧＵＩ画像のサイズは、各々対応する表示区分のサイズに合わせて異ならせてもよい。
【００４４】
（ステップＳ３）図１２に示されるように、ユーザＵが表示区分選択部２２０−２にタッチすると、制御部１１は、表示区分選択部２２０−２へのタッチに応じて、表示区分選択部２２０−２に対応する第２の表示区分１３１−２をウィンドウ画面１１０上にスクロールし表示させる。なお、ユーザＵが上記ステップＳ１で画面スクロール操作部１２０の何処かにタッチした後にタッチしている場所を表示区分選択部２２０−２に移動させることを、表示区分選択部２２０−２に対応する第２の表示区分１３１−２をウィンドウ画面１１０上にスクロールし表示させる条件にしてもよい。
【００４５】
図１２に示されるように、第２の表示区分１３１−２はオブジェクトに対応するアイコンＧを有する。第２の表示区分１３１−２に有されるアイコンＧは、図１０の表示区分リスト２５における第２の表示区分の第１オブジェクトグループ「ＳＮＳ」に所属するオブジェクトに対応するアイコンである。図１２の例では、第２の表示区分１３１−２のサイズがウィンドウ画面１１０のサイズ未満のため、第２の表示区分１３１−２に引き続く第３の表示区分１３１−３も、ウィンドウ画面１１０上に表示されている。第２の表示区分１３１−２と第３の表示区分１３１−３との境界部分には、区切り１３２が表示される。第３の表示区分１３１−３に有されるアイコンＧは、図１０の表示区分リスト２５における第３の表示区分の第２オブジェクトグループ「アルバム」に所属するオブジェクトに対応するアイコンである。なお、区切り１３２に、当該区切り１３２に続く表示区分に対応するオブジェクトグループのグループ名を表示してもよい。
【００４６】
（ステップＳ４）制御部１１は、画面スクロール操作部１２０の選択解除であるかを判断する。画面スクロール操作部１２０の選択解除方法として、例えば、ユーザＵが画面スクロール操作部１２０をダブルタッチすることが挙げられる。又は、ユーザＵが上記ステップＳ１で画面スクロール操作部１２０の何処かにタッチした後にタッチしている場所を表示区分選択部２２０−２に移動させることを、表示区分選択部２２０−２に対応する第２の表示区分１３１−２をウィンドウ画面１１０上にスクロールし表示させる条件とする場合には、ユーザＵが画面スクロール操作部１２０からタッチを止めることを、画面スクロール操作部１２０の選択解除方法とすることが挙げられる。
【００４７】
ステップＳ４の判断の結果、画面スクロール操作部１２０の選択解除である場合にはステップＳ５へ進み、そうではない場合にはステップＳ４で画面スクロール操作部１２０の選択解除の判断を続ける。
【００４８】
（ステップＳ５）制御部１１は、図１３に示されるように、表示区分選択部２２０−１〜７を表示画面１００上から削除する。制御部１１は、画面スクロール操作部１２０において、ウィンドウ画面１１０上に現在表示されている表示領域と現在表示されていない未表示領域とを合わせた総表示領域中の、ウィンドウ画面１１０上に現在表示される第２の表示区分１３１−２の位置、に対応する部分に画像１２１を配置する。
【００４９】
（表示区分の例２に係る他の動作）
次に、表示区分の例２に係る情報処理装置１の他の動作を説明する。
【００５０】
（表示区分の例２に係る他の動作の例２−１）
上記ステップＳ３において、図１４に示されるように、ユーザＵが表示区分選択部２２０−３にタッチすると、制御部１１は、表示区分選択部２２０−３へのタッチに応じて、表示区分選択部２２０−３に対応する第３の表示区分１３１−３をウィンドウ画面１１０上にスクロールし表示させる。さらに、制御部１１は、図１０の表示区分リスト２５の第３の表示区分の内容に従い、図１５に示されるように、第３の表示区分のサブ表示区分選択部２２０−３−１〜２を表示画面１００上に表示させる。さらに、制御部１１は、サブ表示区分選択部２２０−３−１〜２に対応する第３の表示区分のサブ表示区分１３１−３−１〜２をウィンドウ画面１１０上に表示させる。第３の表示区分のサブ表示区分１３１−３−１〜２の境界部分には、サブ区切り１３３が表示される。サブ区切り１３３は、区切り１３２よりも長さが短い。これにより、サブ区切り１３３がサブ表示区分の区切りであることを分かりやすくしている。なお、サブ区切り１３３に、当該サブ区切り１３３に続くサブ表示区分に対応するサブグループのグループ名を表示してもよい。
【００５１】
図１５に示されるように、第３の表示区分のサブ表示区分１３１−３−１〜２はオブジェクトに対応するアイコンＧを有する。第３の表示区分のサブ表示区分１３１−３−１に有されるアイコンＧは、図１０の表示区分リスト２５における第３の表示区分の第２オブジェクトグループ「アルバム」のサブグループ「家族」に所属するオブジェクトに対応するアイコンである。第３の表示区分のサブ表示区分１３１−３−２に有されるアイコンＧは、図１０の表示区分リスト２５における第３の表示区分の第２オブジェクトグループ「アルバム」のサブグループ「友人」に所属するオブジェクトに対応するアイコンである。なお、各表示区分１３１−１、２、・・・は、個別に、表示のオン／オフを切り替えできるようにしてもよい。表示オフにされた表示区分については、例えば、表示オフの表示区分に対応するオブジェクトグループのグループ名を有する区切り１３２のみを表示し、当該表示区分の存在を示すようにしてもよい。また、サブ表示区分についても、同様に、個別に、表示のオン／オフを切り替えできるようにしてもよい。表示オフにされたサブ表示区分については、例えば、表示オフのサブ表示区分に対応するサブグループのグループ名を有するサブ区切り１３３のみを表示し、当該サブ表示区分の存在を示すようにしてもよい。また、サブ表示区分選択部は、表示のオン／オフを切り替えできるようにしてもよい。
【００５２】
（表示区分の例２に係る他の動作の例２−２）
上記ステップＳ１において、図１６に示されるように、ユーザＵがアイコンＧ＿１にタッチしたままの状態で所定時間経過すると画面編集モードに移行し、次いで、ユーザＵがアイコンＧ＿１にタッチしたままタッチしている場所を移動させると、アイコンＧ＿１を移動させることができる。このアイコン移動操作によって、ユーザＵは、アイコンＧ＿１を画面スクロール操作部１２０上に移動させる。これにより、上記ステップＳ２において、制御部１１は、図１０の表示区分リスト２５の内容に従い、図１１に示されるように、表示区分選択部２２０−１〜７を表示画面１００上に表示させる。
【００５３】
次いで、上記ステップＳ３において、図１７に示されるように、ユーザＵは、アイコンＧ＿１にタッチしたままアイコンＧ＿１を表示区分選択部２２０−５上に移動させる。この表示区分選択部２２０−５上へのアイコンＧ＿１の移動に応じて、制御部１１は、表示区分選択部２２０−５に対応する第５の表示区分の第４オブジェクトグループ「ゴミ箱」をウィンドウ画面１１０上に表示させる。次いで、ユーザＵがアイコンＧ＿１にタッチしたままアイコンＧ＿１を画面スクロール操作部１２０上からウィンドウ画面１１０上の第５の表示区分「ゴミ箱」における所望の位置に移動させると、制御部１１は、アイコンＧ＿１に対応するオブジェクトの所属を、第５の表示区分の第４オブジェクトグループ「ゴミ箱」に決定する。制御部１１は、アイコンＧ＿１に対応するオブジェクトの所属を第４オブジェクトグループ「ゴミ箱」に設定する。なお、ユーザＵがアイコンＧ＿１を表示区分選択部２２０−５上に移動させた後に、ユーザＵが表示画面１００へのタッチを止める、つまり、アイコンＧ＿１をリリースすることによって、制御部１１が、アイコンＧ＿１に対応するオブジェクトの所属を、第５の表示区分の第４オブジェクトグループ「ゴミ箱」に決定し、アイコンＧ＿１に対応するオブジェクトの所属を第４オブジェクトグループ「ゴミ箱」に設定してもよい。この場合、制御部１１は、ウィンドウ画面１１０上の第５の表示区分「ゴミ箱」における空き領域にアイコンＧ＿１を表示させる。このとき、第５の表示区分「ゴミ箱」に既存の他のアイコンＧが存在する場合には、既存の他のアイコンＧに後続させてアイコンＧ＿１を整列表示させることが見た目に好ましい。
【００５４】
なお、上記図１７と同様にして、ユーザＵがアイコンＧ＿１をタッチしながらアイコンＧ＿１を表示区分選択部２２０−６上に移動させた場合には、制御部１１は、表示区分選択部２２０−６上へのアイコンＧ＿１の移動に応じて、表示区分選択部２２０−６に対応する第６の表示区分の第５オブジェクトグループ「ＳＤカード」をウィンドウ画面１１０上に表示させる。次いで、ユーザＵがアイコンＧ＿１にタッチしたままアイコンＧ＿１を画面スクロール操作部１２０上からウィンドウ画面１１０上の第６の表示区分「ＳＤカード」における所望の位置に移動させると、制御部１１は、アイコンＧ＿１に対応するオブジェクトの所属を、第６の表示区分の第５オブジェクトグループ「ＳＤカード」に決定する。制御部１１は、アイコンＧ＿１に対応するオブジェクトの所属を第５オブジェクトグループ「ＳＤカード」に設定する。制御部１１は、アイコンＧ＿１に対応するオブジェクトをＳＤカードに移動する。また、ユーザＵがアイコンＧ＿１を表示区分選択部２２０−６上に移動させた後に、ユーザＵが表示画面１００へのタッチを止める、つまり、アイコンＧ＿１をリリースすることによって、制御部１１が、アイコンＧ＿１に対応するオブジェクトの所属を第６の表示区分の第５オブジェクトグループ「ＳＤカード」に決定し、アイコンＧ＿１に対応するオブジェクトの所属を第５オブジェクトグループ「ＳＤカード」に設定し、アイコンＧ＿１に対応するオブジェクトをＳＤカードに移動してもよい。この場合、制御部１１は、ウィンドウ画面１１０上の第６の表示区分「ＳＤカード」における空き領域にアイコンＧ＿１を表示させる。このとき、第６の表示区分「ＳＤカード」に既存の他のアイコンＧが存在する場合には、既存の他のアイコンＧに後続させてアイコンＧ＿１を整列表示させることが見た目に好ましい。
【００５５】
また、上記したオブジェクトの所属グループの決定は、オブジェクトグループのサブグループに対しても同様に適用される。また、新規に追加されたオブジェクトに対しても、上記図１６と同様にして、ユーザＵは、新規に追加されたオブジェクトのアイコンＧをタッチしながら該アイコンＧを画面スクロール操作部１２０上に移動させることにより、上記図１７と同様にして、新規に追加されたオブジェクトを所属させる先のオブジェクトグループ又はサブグループを選択することができる。また、同様にして、ユーザＵは、任意のオブジェクトグループのオブジェクトのアイコンＧをタッチしながら該アイコンＧを画面スクロール操作部１２０上に移動させることにより、上記図１７と同様にして、該アイコンＧに対応するオブジェクトを所属させる先のオブジェクトグループ又はサブグループを選択することができる。また、同様にして、ユーザＵは、任意のオブジェクトグループのサブグループのオブジェクトのアイコンＧをタッチしながら該アイコンＧを画面スクロール操作部１２０上に移動させることにより、上記図１７と同様にして、該アイコンＧに対応するオブジェクトを所属させる先のオブジェクトグループ又はサブグループを選択することができる。
【００５６】
（表示区分の例２に係る他の動作の例２−３）
表示区分の例２に係る他の動作の例２−３は、新規に表示区分を追加する設定の動作例である。図１８に示されるように、ユーザＵは、新規に表示区分を追加するメニューを操作した結果として表示画面上に表示された区切り１３２Ｇをタッチしながらタッチしている場所を画面スクロール操作部１２０上に移動させることにより区切り１３２Ｇを画面スクロール操作部１２０上に移動させる。これにより、制御部１１は、図１０の表示区分リスト２５の内容に従い、表示区分選択部２２０−１〜７を表示画面１００上に表示させる。
【００５７】
次いで、ユーザＵは、区切り１３２Ｇをタッチしながら区切り１３２Ｇを、新規に表示区分を追加したい場所に対応する表示区分選択部２２０−２上に移動させる。これにより、制御部１１は、表示区分選択部２２０−２に対応する第２の表示区分１３１−２をウィンドウ画面１１０上にスクロールし表示させる。次いで、ユーザＵが、区切り１３２Ｇにタッチしたまま区切り１３２Ｇを画面スクロール操作部１２０上からウィンドウ画面１１０上の所望の位置に移動させた後に、表示画面１００へのタッチを止めると、つまり、区切り１３２Ｇをリリースすると、制御部１１は、その区切り１３２Ｇのリリースされた位置、例えば図１９に示されるように第２の表示区分１３１−２の表示領域に、新規に表示区分１３１−２Ａを設ける。さらに、制御部１１は、新規に設けた表示区分１３１−２Ａに対応する表示区分選択部２２０−２Ａを表示画面１００上に表示させる。さらに、制御部１１は、図２０に示されるように、図１０の表示区分リスト２５に対して、新規に設けた表示区分１３１−２Ａに対応する表示区分のエントリを追加する。図２０の例では、説明の便宜上、新規に設けた表示区分１３１−２Ａに対応する表示区分のエントリとして項番２Ａに、第２Ａの表示区分に対応する第７オブジェクトグループが記載されている。なお、ユーザＵが、区切り１３２Ｇをタッチしながら区切り１３２Ｇを、新規に表示区分を追加したい場所に対応する表示区分選択部２２０−２上に移動させた後に、表示画面１００へのタッチを止める、つまり、区切り１３２Ｇをリリースすることにより、制御部１１が、図１９に示されるように、表示区分選択部２２０−２に対応する第２の表示区分１３１−２の表示領域に、新規に表示区分１３１−２Ａを設けるようにしてもよい。
【００５８】
なお、任意の表示区分を削除するためのメニューを設け、ユーザが任意の表示区分を削除する設定を行うようにしてもよい。制御部１１は、削除する設定が行われた表示区分のエントリを表示区分リスト２５から削除する。また、ユーザＵは、区切り１３２を移動させることによって、アイコンＧを移動させることなく、区切り１３２を境界とする表示区分間でアイコンＧの移動を行うことができる。制御部１１は、区切り１３２の移動の結果に応じて、該区切り１３２を境界とする表示区分間で移動のあったアイコンＧに対応するオブジェクトの所属を変更する。また、サブ区切り１３３についても同様である。
【００５９】
上述した表示区分の例２によれば、ユーザは、ウィンドウ画面１１０上に表示させたい表示区分に対応する表示区分選択部にタッチすれば、表示画面１００のフリックを行うことなく、所望の表示区分をウィンドウ画面１１０上にスクロールし表示させることができる。これにより、ウィンドウ画面１１０をスクロールする操作を簡略化することができる。また、ユーザがオブジェクトの所属グループを設定する操作を簡略化することができる。
【００６０】
［第２実施形態］
第２実施形態を説明する。第２実施形態に係る情報処理装置１の構成は、図１と同様である。以下、情報処理装置１の表示部１５がタッチパネルを備える場合を例に挙げて説明する。
【００６１】
図２１は、第２実施形態に係る情報処理装置１の表示部１５のタッチパネルの表示画面１００の構成例を示す図である。図２１において、表示画面１００上には、ウィンドウ画面１１０が表示される。図２１には、ウィンドウ画面１１０のスクロール方向が示される。第２実施形態に係る表示区分リスト２５として、上述した図５の構成例１と同じであるとする。ウィンドウ画面１１０上には、現在、第１の表示区分である第１画面１３０−１が表示されている。第１画面１３０−１は、オブジェクトに対応するアイコンＧを有する。オブジェクトとしては、アプリケーションプログラム２３とデータファイル２４とがある。
【００６２】
また、ウィンドウ画面１１０上には、ウィンドウ画面１１０上にスクロールされる画面に対応する印３００−１〜５（第１の印）が表示される。印３００−１は図５の表示区分リスト２５における第１の表示区分の第１画面に対応し、印３００−２は図５の表示区分リスト２５における第２の表示区分の第２画面に対応し、印３００−３は図５の表示区分リスト２５における第３の表示区分の第３画面に対応し、印３００−４は図５の表示区分リスト２５における第４の表示区分の第４画面に対応し、印３００−５は図５の表示区分リスト２５における第５の表示区分の第５画面に対応する。図２１の例において、ウィンドウ画面１１０上には、現在、第１画面１３０−１が表示されているので、第１画面１３０−１に対応する印３００−１は現在表示画面を示す状態（図２１の例では黒色）になっている。他の第２〜第５画面１３０−２〜５に対応する印３００−２〜５は現在非表示画面を示す状態（図２１の例では白色）になっている。なお、ユーザＵが所定の画面スクロール操作場所（図２１中の表示画面１００上の印３００−１〜５の領域）にタッチすることにより、図２１に示されるように、印３００−１〜５が表示画面１００上に表示されるようにしてもよい。
【００６３】
図２１において、ユーザＵが第１画面１３０−１に配置されるアイコンＧ＿２（第２の印）にタッチしたままの状態で所定時間経過すると画面編集モードに移行し、次いで、ユーザＵがアイコンＧ＿２にタッチしたままタッチしている場所を移動させることによりアイコンＧ＿２を印３００−４上に移動させる。これにより、制御部１１は、図２２に示されるように、印３００−４に対応する第４画面１３０−４をウィンドウ画面１１０上にスクロールし表示させる。さらに、制御部１１は、ウィンドウ画面１１０上に現在表示される第４画面１３０−４に対応する印３００−４を、現在表示画面を示す状態（図２２の例では黒色）に変更させる。さらに、制御部１１は、ウィンドウ画面１１０上に表示されなくなった第１画面１３０−１に対応する印３００−１を、現在非表示画面を示す状態（図２２の例では白色）に変更させる。なお、ユーザＵが第１画面１３０−１に配置されるアイコンＧ＿２にタッチしたままの状態で所定時間経過して画面編集モードに移行することにより、図２１に示されるように、印３００−１〜５が表示画面１００上に表示されるようにしてもよい。又は、ユーザＵがアイコンＧ＿２にタッチしたままアイコンＧ＿２を所定の画面スクロール操作場所（図２１中の表示画面１００上の印３００−１〜５の領域）に移動させることにより、図２１に示されるように、印３００−１〜５が表示画面１００上に表示されるようにしてもよい。
【００６４】
次いで、ユーザＵが、アイコンＧ＿２にタッチしたままアイコンＧ＿２を第４画面１３０−４上の所望の位置に移動させた後に、表示画面１００へのタッチを止める、つまり、アイコンＧ＿２をリリースする。これにより、アイコンＧ＿２は、元あった第１画面１３０−１から第４画面１３０−４へと、その配置が移動され、第４画面１３０−４上に表示される。なお、ユーザＵがアイコンＧ＿２を印３００−４上に移動させた後に、ユーザＵが表示画面１００へのタッチを止める、つまり、アイコンＧ＿２をリリースすることによって、制御部１１が、図２２に示されるように、ウィンドウ画面１１０上に現在表示される第４画面１３０−４上の空き領域に、アイコンＧ＿２を配置させるようにしてもよい。このとき、第４画面１３０−４上に既存の他のアイコンＧが存在する場合には、既存の他のアイコンＧに後続させてアイコンＧ＿２を整列表示させることが見た目に好ましい。
【００６５】
上述した第２実施形態によれば、ユーザは、アイコンを移動させたい画面に対応する印に当該アイコンを移動させれば、表示画面１００のフリックを行うことなく、当該アイコンを移動させたい画面をウィンドウ画面１１０上にスクロールし表示させ、当該アイコンを移動させたい画面に当該アイコンを移動させることができる。これにより、ウィンドウ画面１１０をスクロールしてアイコンを移動する操作を簡略化することができる。
【００６６】
以上、本発明の実施形態について図面を参照して詳述してきたが、具体的な構成はこの実施形態に限られるものではなく、本発明の要旨を逸脱しない範囲の設計変更等も含まれる。
【００６７】
また、上述した情報処理装置１が実行する各ステップを実現するためのコンピュータプログラムをコンピュータ読み取り可能な記録媒体に記録して、この記録媒体に記録されたプログラムをコンピュータシステムに読み込ませ、実行するようにしてもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ）のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６９】
１…情報処理装置、１１…制御部、１２…記憶部、１３…通信部、１４…操作部、１５…表示部、２１…ＯＳ、２２…制御プログラム、２３…アプリケーションプログラム、２４…データファイル、２５…表示区分リスト、１００…表示画面、１１０…ウィンドウ画面、１２０…画面スクロール操作部、２１０−１〜５，２２０−１〜７，２２０−２Ａ…表示区分選択部
【図１】
2016133912.tif 000003
【図２】
2016133912.tif 000004
【図３】
2016133912.tif 000005
【図４】
2016133912.tif 000006
【図５】
2016133912.tif 000007
【図６】
2016133912.tif 000008
【図７】
2016133912.tif 000009
【図８】
2016133912.tif 000010
【図９】
2016133912.tif 000011
【図１０】
2016133912.tif 000012
【図１１】
2016133912.tif 000013
【図１２】
2016133912.tif 000014
【図１３】
2016133912.tif 000015
【図１４】
2016133912.tif 000016
【図１５】
2016133912.tif 000017
【図１６】
2016133912.tif 000018
【図１７】
2016133912.tif 000019
【図１８】
2016133912.tif 000020
【図１９】
2016133912.tif 000021
【図２０】
2016133912.tif 000022
【図２１】
2016133912.tif 000023
【図２２】
2016133912.tif 000024